(57)【要約】      （修正有）【課題】作業範囲を広く取れ作業効率の上がる安全で、かつ移動にも容易な軽量な作業台を提供する。【解決手段】現在使用している三脚脚立や脚立２台に足場板を通す方法に変え、作業範囲の広い作業台の天板の高さを手動で調整可能にし、高さ方向への作業範囲を拡張する。現在使用されている作業台の天板を２面以上に分けそれぞれを上下に高さ調整を可能にすること。果実農家の収穫作業を考え、収穫籠吊降し機構を設けること。また、作業台を移動する車輪を有すること。【選択図】図２
0003125582.tif 000002
【実用新案登録請求の範囲】
【請求項１】
２面以上に分かれた天板の高さ調整が可能な４脚作業台。
【考案の詳細な説明】
【技術分野】
【０００１】  本考案は、果樹農家における果実の収穫作業や建築工事における天井板の貼付け、クロス張り内装工事、塗装工事などで発生する高さ１〜２ｍの高所作業に使用する作業台の構造に係する改善である。
【背景技術】
【０００２】  果実農家の収穫作業は、果実の木の下に三脚脚立を立て、収穫袋を肩に掛け三脚脚立を登り、果実をもぎとり、肩に架けた袋に入れ、果実の入った袋を肩に架けた状態で三脚脚立を降りるのが一連の作業である。  又、自走式高所作業台に自分と収穫籠数個を乗せ、電動（油圧等）により果実のある位置まで上昇、果実を収穫する方法も採られている。【０００３】  また、建築工事における天井板の貼付け、クロス張り内装工事、塗装工事などは２台の脚立に足場板を渡らせ、その足場板に乗っての高所作業が行なわれている。
【考案の開示】
【考案が解決しようとする課題】
【０００４】  果実農家の収穫作業に使用される三脚脚立は上の部分が狭く収穫範囲が限られるため収穫袋を肩に掛けた状態で、何回もの三脚脚立の位置変えと昇り降りが必要になっている。また、約１０Ｋｇにもなる収穫袋を三脚脚立の上部で支え、離れた位置の果実をもぎとり収穫袋に入れる作業は、重心が三脚脚立の高い位置で移動するため、比較的やわらかい地上に立てた三脚脚立上の作業は、不安定となり三脚脚立ごと転倒することもしばしば発生している。ずしりと重くなった収穫袋を肩に掛けての昇り降りも重労働になっている。三脚脚立に比べ高所での安全作業が出きる自走式高所作業台を使用している農家もあるが、高価であり小規模農家では準備が出来ない現状である。また、この種の作業従事者は高齢化が進み作業改善が望まれている。【０００５】  一方、建築工事における天井板の貼付け、クロス張り内装工事、塗装工事などは、脚立２台に足場板を渡らせ、その足場板に乗っての高所作業となりバランスを必要とし危険を伴う不安定な作業になっている。また、作業場所の移動には２台の脚立と足場板を移動し、組立が必要となり作業効率も悪い。【０００６】  上記から、果実農家の収穫作業も建築工事も脚立の移動回数を少なくするため、作業範囲を広くとれて、なお安全で作業効率が上がる脚立構造が望まれている。
【課題を解決するための手段】
【０００７】  上記課題を解決するため、現在使用している三脚脚立や脚立２台に足場板を通す方法に変え、作業範囲の広い作業台の天板の高さを手動で調整可能にし、高さ方向への作業範囲を拡張する。また収穫籠吊降し機構と移動用車輪を付ける。
【考案の効果】
【０００８】    果実農家の収穫作業に使用される三脚脚立を天板高さ調整可能な作業範囲の広い作業台を使うことにより高さ方向と天板面を広く使えようになり、三脚脚立の昇り降りも少なくなり、４脚作業台で安定した収穫作業が行なえる。果実もぎとり作業での収穫籠の吊下げ位置も確保され、高所での重心の移動がなくなり、広範囲のもぎ取り作業も安定した姿勢で可能となった。結果、脚立上で１０Ｋｇにもなる収穫袋を肩に掛けての作業が無くなり、作業者の労力低減と収穫スピードも上がり高所作業の安全率向上と効率向上が図れた。また、作業台に車輪を取付けた為、作業台の移動に要する労力の低減も図れた。一方、建築工事では、２台の脚立と足場板の組立作業がなくなり作業効率向上が図れ高所での安定した作業姿勢がとれ安全性も向上した。
【考案を実施するための最良の形態】
【０００９】  現在使用されている作業台の天板を２面以上に分けそれぞれを上下に高さ調整を可能にすること。果実農家の収穫作業を考え、収穫籠吊降し機構を設けること。また、作業台を移動する車輪を有すること。
【実施例】
【００１０】  図１（ａ）、（ｂ）、（ｃ）にて、現状の高所作業の実態を説明した上で、以下、本考案に係る天板高さ調整可能な構造に、収穫籠吊降し機構と移動用車輪を有した作業台の果実農家での実施例について図面を用いて説明する。【００１１】  図１（ａ）は、果実農家の収穫作業の現状で収穫袋を肩に掛け脚立上で果実のもぎ取り作業を行なっている。三脚脚立１に収穫袋２を肩に掛け作業者３が三脚脚立に登り収穫している状態でいかにも不安定な作業かが判る。三脚脚立上の収穫範囲が狭く何回もの位置変えのため昇り降りが必要。【００１２】  図１（ｂ）は、建築工事での塗装作業の現状は、２台の脚立４に、足場板５を通し、その上で作業者６が乗っての作業が行なわれている。足場板５は、作業者６の重さでひのりバランスをとるにも神経を使い体力の消耗が早い。また、足場の移動には、足場板５を引き出し脚立４を移動し、再度、足場板５を通す作業となり、段取り時間がかかる問題点もある。【００１３】  図１（ｃ）は、一般的に使用されている作業台の使用状況である。作業台７に作業者８が乗っての作業状態であるが、三脚や脚立に比べ天板は広いが高さ方向への調整が出来ないため作業範囲が狭い。【００１４】  図２（ａ）は、本考案の２面以上に分かれた天板の高さ調整が可能な４脚作業台である。構成は、４脚作業台基礎部９の上に、高さ調整の可能な天板Ａ１０、天板Ｂ１１が乗り、さらに手摺Ａ１２、手摺Ｂ１３が乗っている。手摺Ａ１２、手摺Ｂ１３は、天板Ａ１０、天板Ｂ１１に収納出来る構造になっている。天板Ａ１０、天板Ｂ１１は４脚作業台基礎部９に収納出来る。作業台脚は１本が高さ固定で、他の３本が伸縮可能な伸縮脚１４で作業台の平衡レベル出しが出来る。移動用車輪１５は４脚作業台の移動を軽くするため用意されている。収穫籠吊降し機構１６は収穫籠を肩から外すために用意されたものである。【００１５】  図２（ｂ）は、作業者１９が手摺Ａ１２、手摺１３Ｂを天板Ａ１０、天板１１Ｂから引き出した状況である。手摺Ａ１２、手摺Ｂ１３は手摺ピンＡ１７、手摺ピンＢ１８にてロックできる。【００１６】  図２（ｃ）は、作業者２６が天板Ａ１０、天板Ｂ１１の高さを調整している状況。作業者２６は手摺Ｂ１３を使って天板Ｂ１１を引上げ天板位置決めストッパーＢ２３がかかる任意の高さまで上げる。引きつづき作業者２６は天板Ｂ１１に乗り移り手摺Ａ１２を使って天板Ａ１０を引上げ天板位置決めストッパーＡ２１がかかる任意の高さまで上げる。天板の高さ調整は作業者２６の体重が架からない反対側を上下させるため容易に調整可能になる。位置決めストッパーＢ２３はストッパー引き抜きレバーＢ２５にワイヤーでつながれており位置決めストッパーＢ２３をリモートで引き抜くことが出来る。位置きめストッパーＡ２１はストッパー引き抜きレバーＡ２４にて引き抜くことが出来る。【００１７】  図２（ｄ）は、作業者２７が高さ調整をした天板上に乗り果実を収穫し、収穫籠２８に入れている状況である。【００１８】  図２（ｅ）は、手摺Ａ１２、手摺Ｂ１３、収穫籠吊降し機構１６、天板Ａ１０、天板Ｂ１１を下限位置まで下げ、作業者２９が移動用車輪１５を使って移動している状況。【００１９】  図３（ａ）は、図���（ｃ）を矢印方向から見た斜視図である。手摺Ｂ１３は天板脚Ｂ２２に天板脚Ｂ２２は作業台基礎部９に落とし込める構造になっている。手摺Ｂ１３には下部に手摺ピン穴３０が空いており手摺ピンＢ１８を押し込むことにより固定できる。天板脚Ｂ２２には縦方向に１０ｃｍ間隔くらいにストッパー穴３４が空いており天板位置決めストッパー２３が入る構造になっている。天板位置決めストッパー２３はピン３１にて回転可能でバネ３２にて押し上げられている。ストッパー引き抜きワイヤー３３を引くことにより天板位置決めストッパー２３を引き抜くことが出来る。【００２０】  図３（ｂ）は、図３（ａ）を矢印方向から見た説明図である。ストッパー穴３４は縦方向に１０ｃｍ位の間隔で空かれており、天板高さを調整できる。天板脚Ｂ２２の下限位置ではストッパー穴３４は無く手摺Ｂ１３が下限まで落ち仕込める構造になっている。よって天板脚Ｂ２２が下限の位置でのみ手摺Ｂ１３が下げられる構造である。【００２１】  図４は、収穫籠吊降し機構１６の斜視図である。ロープ３５とフック３６で収穫籠２８を吊下げる構造になっている。ロープ３５を緩めることにより果実の入った収穫籠２８を下げることが出来る。【００２２】  図５は、４脚作業台基礎部９の伸縮脚部の斜視図である。伸縮脚固定金具３７により４脚作業台基礎部９の脚に固定されている。バネ３９にて引上げられたレバー３８により脚４０を固定している。脚４０の出し入れはレバー３８を下に下げることにより可能になる。
【図面の簡単な説明】
【図１】（ａ）果実農家の収穫状況、収穫籠を肩に掛けた三脚上での作業状況。（ｂ）建築業者が脚立２台に足場板を通いて、その上で作業をしている状況。（ｃ）建築業者が足場台上で作業をしている状況。比較的低い高所作業。
【図２】（ａ）本考案の４脚作業台収納図。（ｂ）手摺の高さをセットしている状況。（ｃ）天板の高さを調整している状況。（ｄ）本考案の４脚作業台を使用しての収穫作業状況。（ｅ）本考案の４脚作業台を移動している状況。
【図３】（ａ）図２（ｃ）を矢印方向から見た斜視図。（ｂ）図３（ａ）を横から見た斜視図。
【図４】（ａ）収穫籠吊降し機構の斜視図。（ｂ）伸縮脚の斜視図。
【符号の説明】
１  三脚脚立
２  収穫籠
３  作業者
４  脚立
５  足場板
６  作業者
７  作業台
８  作業者
９  作業台基礎部
１０  天板Ａ
１１  天板Ｂ
１２  手摺Ａ
１３  手摺Ｂ
１４  作業台伸縮脚
１５  移動車輪
１６  収穫籠吊降し機構
１７  手摺ピンＡ
１８  手摺ピンＢ
１９  作業者
２０  天板脚Ａ
２１  天板位置決めストッパーＡ
２２  天板脚Ｂ
２３  天板位置決めストッパーＢ
２４  ストッパー引抜きレバーＡ
２５  ストッパー引抜きレバーＢ
２６  作業者
２７  作業者
２８  収穫籠
２９  作業者
３０  手摺ピン穴
３１  ピン
３２  バネ
３３  ストッパー引き抜きワイヤー
３４  ストッパー穴
３５  ロープ
３６  フック
３７  伸縮脚固定金具
３８  レバー
３９  バネ
４０  脚
【図１】
0003125582.tif 000003
【図２】
0003125582.tif 000004
0003125582.tif 000005
【図３】
0003125582.tif 000006
【図４】
0003125582.tif 000007
【図５】
0003125582.tif 000008
【手続補正書】
【提出日】平成18年6月21日(2006.6.21)
【手続補正１】
【補正対象書類名】実用新案登録請求の範囲
【補正対象項目名】全文
【補正方法】変更
【補正の内容】
【実用新案登録請求の範囲】
【請求項１】
四脚に天板を設けた作業台にて、天板の高さ調整を手動で可能にする為、天板を二面以上に分割し、片方の天板に乗った状態で他方の天板の高さ調整を手動にて行えるようにした、高さ調整可能な二面以上に分かれた天板を有する構造を特徴とする四脚作業台。
【手続補正２】
【補正対象書類名】明細書
【補正対象項目名】全文
【補正方法】変更
【補正の内容】
【考案の詳細な説明】
【技術分野】
【０００１】  本考案は、果樹農家における果実の収穫作業や建築工事における天井板の貼付け、クロス張り内装工事、塗装工事などで発生する高さ１〜２ｍの高所作業に使用する作業台の構造に係する改善である。
【背景技術】
【０００２】  果実農家の収穫作業は、果実の木の下に三脚脚立を立て、収穫袋を肩に掛け三脚脚立を登り、果実をもぎとり、肩に架けた袋に入れ、果実の入った袋を肩に架けた状態で三脚脚立を降りるのが一連の作業である。  又、自走式高所作業台に自分と収穫籠数個を乗せ、電動（油圧等）により果実のある位置まで上昇、果実を収穫する方法も採られている。【０００３】  また、建築工事における天井板の貼付け、クロス張り内装工事、塗装工事などは２台の脚立に足場板を渡らせ、その足場板に乗っての高所作業が行なわれている。
【考案の開示】
【考案が解決しようとする課題】
【０００４】  果実農家の収穫作業に使用される三脚脚立は上の部分が狭く収穫範囲が限られるため収穫袋を肩に掛けた状態で、何回もの三脚脚立の位置変えと昇り降りが必要になっている。また、約１０Ｋｇにもなる収穫袋を三脚脚立の上部で支え、離れた位置の果実をもぎとり収穫袋に入れる作業は、重心が三脚脚立の高い位置で移動するため、比較的やわらかい地上に立てた三脚脚立上の作業は、不安定となり三脚脚立ごと転倒することもしばしば発生している。ずしりと重くなった収穫袋を肩に掛けての昇り降りも重労働になっている。三脚脚立に比べ高所での安全作業が出きる自走式高所作業台を使用している農家もあるが、高価であり小規模農家では準備が出来ない現状である。また、この種の作業従事者は高齢化が進み作業改善が望まれている。【０００５】  一方、建築工事における天井板の貼付け、クロス張り内装工事、塗装工事などは、脚立２台に足場板を渡らせ、その足場板に乗っての高所作業となりバランスを必要とし危険を伴う不安定な作業になっている。また、作業場所の移動には２台の脚立と足場板を移動し、組立が必要となり作業効率も悪い。【０００６】  上記から、果実農家の収穫作業も建築工事も脚立の移動回数を少なくするため、作業範囲を広くとれて、なお安全で作業効率が上がる脚立構造が望まれている。
【課題を解決するための手段】
【０００７】  上記課題を解決するため、現在使用している三脚脚立や脚立２台に足場板を通す方法に変え、作業範囲の広い作業台の天板の高さを手動で調整可能にし、高さ方向への作業範囲を拡張する。また収穫籠吊降し機構と移動用車輪を付ける。
【考案の効果】
【０００８】    果実農家の収穫作業に使用される三脚脚立を天板高さ調整可能な作業範囲の広い作業台を使うことにより、広い天板に加え、高さ方向への作業範囲も広くとれ従来の三脚脚立に比べ昇り降りも少なく、安定した収穫作業が行なえる。果実もぎとり作業での収穫籠の吊下げ位置も確保され、高所での重心の移動がなくなり、広範囲のもぎ取り作業も安定した姿勢で可能となった。結果、脚立上で１０Ｋｇにもなる収穫袋を肩に掛けての作業が無くなり、作業者の労力低減と収穫スピードも上がり高所作業の安全率向上と効率向上が図れた。また、作業台に車輪を取付けた為、作業台の移動に要する労力の低減も図れた。一方、建築工事では、２台の脚立と足場板の組立作業がなくなり作業効率向上が図れ、又高所での安定した作業姿勢がとれ安全性も向上した。
【考案を実施するための最良の形態】
【０００９】  現在使用されている作業台の天板を２面以上に分けそれぞれを上下に高さ調整を可能にすること。果実農家の収穫作業を考え、収穫籠吊降し機構を設けること。また、作業台を移動する車輪を有すること。
【実施例】
【００１０】  図１（ａ）、（ｂ）、（ｃ）にて、現状の高所作業の実態を説明した上で、以下、本考案に係る天板高さ調整可能な構造に、収穫籠吊降し機構と移動用車輪を有した四脚作業台の果実農家での実施例について図面を用いて説明する。【００１１】  図１（ａ）は、果実農家の収穫作業の現状で収穫袋を肩に掛け脚立上で果実のもぎ取り作業を行なっている。三脚脚立１に収穫袋２を肩に掛け作業者３が三脚脚立に登り収穫している状態でいかにも不安定な作業かが判る。三脚脚立上の収穫範囲が狭く何回もの位置変えのため昇り降りが必要。【００１２】  図１（ｂ）は、建築工事での塗装作業の現状は、２台の脚立４に、足場板５を通し、その上で作業者６が乗っての作業が行なわれている。足場板５は、作業者６の重さでひのりバランスをとるにも神経を使い体力の消耗が早い。また、足場の移動には、足場板５を引き出し脚立４を移動し、再度、足場板５を通す作業となり、段取り時間がかかる問題点もある。【００１３】  図１（ｃ）は、一般的に使用されている作業台の使用状況である。作業台７に作業者８が乗っての作業状態であるが、三脚や脚立に比べ天板は広いが高さ方向への調整が出来ないため作業範囲が狭い。【００１４】  図２は、本考案のニ面以上に分かれた天板の高さ調整が可能な四脚作業台である。構成は、四脚作業台基礎部９の上に、高さ調整の可能な天板Ａ１０、天板Ｂ１１が乗り、さらに手摺Ａ１２、手摺Ｂ１３が乗っている。手摺Ａ１２、手摺Ｂ１３は、天板Ａ１０、天板Ｂ１１に収納出来る構造になっている。天板Ａ１０、天板Ｂ１１は四脚作業台基礎部９に収納出来る。作業台脚は１本が高さ固定で、他の３本が伸縮可能な伸縮脚１４で作業台の平衡レベル出しが出来る。移動用車輪１５は四脚作業台の移動を軽くするため用意されている。収穫籠吊降し機構１６は収穫籠を肩から外すために用意されたものである。【００１５】  図３は、作業者１９が手摺Ａ１２、手摺Ｂ１３を天板Ａ１０、天板Ｂ１１から引き出し定位置に固定した状況である。手摺Ａ１２、手摺Ｂ１３は手摺ピンＡ１７、手摺ピンＢ１８にてロックできる。【００１６】  図４は、作業者２６が天板Ａ１０、天板Ｂ１１の高さを調整している状況。作業者２６は手摺Ｂ１３を使って天板Ｂ１１を引上げ天板位置決めストッパーＢ２３がかかる任意の高さまで上げる。引きつづき作業者２６は天板Ｂ１１に乗り移り手摺Ａ１２を使って天板Ａ１０を引上げ天板位置決めストッパーＡ２１がかかる任意の高さまで引上げる。天板の高さ調整は作業者２６の体重が架からない反対側を上下させるため容易に調整可能になる。位置決めストッパーＢ２３はストッパー引き抜きレバーＢ２５にワイヤーでつながれており位置決めストッパーＢ２３の４箇所を同時にリモートで引き抜くことが出来る。位置きめストッパーＡ２１はストッパー引き抜きレバーＡ２４にて引き抜くことが出来る。【００１７】  図５は、作業者２７が高さ調整をした天板上に乗り果実を収穫し、収穫籠２８に入れている状況である。【００１８】  図６は、手摺Ａ１２、手摺Ｂ１３、収穫籠吊降し機構１６、天板Ａ１０、天板Ｂ１１を下限位置まで下げ、作業者２９が移動用車輪１５を使って移動している状況。【００１９】  図７（ａ）は���図４を矢印方向から見た斜視図である。手摺Ｂ１３は天板脚Ｂ２２に天板脚Ｂ２２は作業台基礎部９に落とし込める構造になっている。手摺Ｂ１３には下部に手摺ピン穴３０が空いており手摺ピンＢ１８を押し込むことにより固定できる。天板脚Ｂ２２には縦方向に１０ｃｍ間隔くらいにストッパー穴３４が空いており天板位置決めストッパー２３が入る構造になっている。天板位置決めストッパー２３はピン３１にて回転可能でバネ３２にて押し上げられている。ストッパー引き抜きワイヤー３３を引くことにより天板位置決めストッパー２３を引き抜くことが出来る。【００２０】  図７（ｂ）は、図７（ａ）を矢印方向から見た説明図である。ストッパー穴３４は縦方向に１０ｃｍ位の間隔で空かれており、天板高さを調整できる。天板脚Ｂ２２の下限位置ではストッパー穴３４は無く手摺Ｂ１３が下限まで落とし込める構造になっている。よって天板脚Ｂ２２が下限の位置でのみ手摺Ｂ１３が下げられる構造である。【００２１】  図８は、収穫籠吊降し機構１６の斜視図である。ロープ３５とフック３６で収穫籠２８を吊下げる構造になっている。ロープ３５を緩めることにより果実の入った収穫籠２８を下げることが出来る。【００２２】  図９は、四脚作業台基礎部９の伸縮脚部の斜視図である。伸縮脚固定金具３７により四脚作業台基礎部９の脚に固定されている。バネ３９にて引上げられたレバー３８により脚４０を固定している。脚４０の出し入れはレバー３８を下に下げることにより可能になる。
【図面の簡単な説明】
【００２３】
【図１】（ａ）果実農家の収穫状況、収穫籠を肩に掛けた三脚上での作業状況。（ｂ）建築業者が脚立２台に足場板を通いて、その上で作業をしている状況。（ｃ）建築業者が足場台上で作業をしている状況で比較的低い高所作業。
【図２】本考案の四脚作業台収納図。
【図３】手摺の高さをセットしている状況。
【図４】天板の高さを調整している状況。
【図５】本考案の四脚作業台を使用しての収穫作業状況。
【図６】本考案の四脚作業台を移動している状況。
【図７】（ａ）図４を矢印方向から見た斜視図。（ｂ）図７（ａ）を横から見た斜視図。
【図８】収穫籠吊降し機構の斜視図。
【図９】伸縮脚の斜視図。
【符号の説明】
【００２４】１  三脚脚立
２  収穫籠
３  作業者
４  脚立
５  足場板
６  作業者
７  作業台
８  作業者
９  作業台基礎部
１０  天板Ａ
１１  天板Ｂ
１２  手摺Ａ
１３  手摺Ｂ
１４  作業台伸縮脚
１５  移動車輪
１６  収穫籠吊降し機構
１７  手摺ピンＡ
１８  手摺ピンＢ
１９  作業者
２０  天板脚Ａ
２１  天板位置決めストッパーＡ
２２  天板脚Ｂ
２３  天板位置決めストッパーＢ
２４  ストッパー引抜きレバーＡ
２５  ストッパー引抜きレバーＢ
２６  作業者
２７  作業者
２８  収穫籠
２９  作業者
３０  手摺ピン穴
３１  ピン
３２  バネ
３３  ストッパー引き抜きワイヤー
３４  ストッパー穴
３５  ロープ
３６  フック
３７  伸縮脚固定金具
３８  レバー
３９  バネ
４０  脚
【手続補正３】
【補正対象書類名】図面
【補正対象項目名】全図
【補正方法】変更
【補正の内容】
【図１】
0003125582.tif 000009
【図２】
0003125582.tif 000010
【図３】
0003125582.tif 000011
【図４】
0003125582.tif 000012
【図５】
0003125582.tif 000013
【図６】
0003125582.tif 000014
【図７】
0003125582.tif 000015
【図８】
0003125582.tif 000016
【図９】
0003125582.tif 000017